(57)【要約】本発明は多機能ポッドを開示し、主ロッドと、主ロッドの上端に設置され、撮影撮像機材を固定することに適する回転連接プラットホームと、主ロッドの下端に設置され、前記主ロッドを支持するためのホルダと、を含み、主ロッドの下端には第１連接構造が設けられ、ホルダの上端には第２連接構造が設けられ、第１連接構造と第２連接構造との間は取り外し可能に連接され、且つ第２連接構造は回転連接プラットホームを取り付けることに適する。本発明において、該多機能ポッドが組み立てられた状態になっている時に、高位ポッドとして使用され、高位撮影のニーズに適することができ、同時に、取り外された主ロッドは普通のモノポッドとして使用されることができ、一方、取り外されたホルダは第２連接構造を通じて回転連接プラットホームに取り付けられた後、低角度ポッドに形成され、低角度撮影の要求に適することができるため、本発明の多機能ポッドが組み立て・取り外されることによって高位ポッド、簡単なモノポッド、及び低角度撮影のトライポッドに形成できる。
2017502357.tif 000002
【特許請求の範囲】
【請求項１】
主ロッド(１)と、
前記主ロッド(１)の上端に設置され、撮影撮像機材を固定することに適する回転連接プラットホーム(２)と、
前記主ロッド(１)の下端に設置され、前記主ロッド(１)を支持することに用いられるホルダ(３)と、
を含む、多機能ポッドにおいて、
前記主ロッド(１)の下端には第１連接構造(１０)が設けられ、前記ホルダ(３)の上端には第２連接構造(３０)が設けられ、前記第１連接構造(１０)と前記第２連接構造(３０)との間は取り外し可能に連接され、且つ前記第２連接構造(３０)は前記回転プラットホーム(２)に取り付けることに適する、ことを特徴とする多機能ポッド。
【請求項２】
前記第１連接構造(１０)の下端はフットピン(５)と連接することに適する、ことを特徴とする請求項１に記載の多機能ポッド。
【請求項３】
前記第１連接構造(１０)は前記主ロッド(１)の下端に固接される上ジョイント(１１)、及び前記上ジョイント(１１)に摺動可能に被装され、且つ前記上ジョイント(１１)の下端から滑脱することを制限する連接ネジ(１２)を含み、
前記第２連接構造(３０)は前記ホルダ(３)の上端に固接される下ジョイント(３１)、及び前記下ジョイント(３１)に成形され、前記回転連接プラットホーム(２)を連接することに適する連接構造(３２)を含み、
前記連接ネジ(１２)と前記下ジョイント(３１)とが螺接され、前記連接ネジ(１２)を回転して密にし、前記上ジョイント(１１)を駆動して前記下ジョイント(３１)と抵接し、前記主ロッド(１)と前記ホルダ(３)とを密に連接させる、ことを特徴とする請求項１または２に記載の多機能ポッド。
【請求項４】
前記上ジョイント(１１)の上端は上が狭く下が広い円錐状になっており、前記連接ネジ(１２)の上端には対応する円錐状チャンバー(１２１)が成形され、前記連接ネジ(１２)の下端の内壁には雌ネジ(１２２)が成形され、前記下ジョイント(３１)の上端には係合する雄ネジ(３１１)が成形され、フットピン(５)には雄ネジが設けられ、前記連接ネジ(１２)における前記雌ネジ(１２２)は前記フットピン(５)における前記雄ネジと連接することに適する、ことを特徴とする請求項３に記載の多機能ポッド。
【請求項５】
前記下ジョイント(３１)の外部にはさらに前記下ジョイント(３１)における前記雄ネジ(３１１)による手擦れを防止するジョイント保護カバー(４)が被装される、ことを特徴とする請求項４に記載の多機能ポッド。
【請求項６】
前記ジョイントカバーが中空構造になっており、前記ジョイント保護カバー(４)の下端の円周内壁が前記下ジョイント(３１)と螺接され、前記ジョイント保護カバー(４)の上端の円周内壁と前記下ジョイント(３１)の円周外壁との間の隙間が、前記連接ネジ(１２)の下端のねじ込みに適する、ことを特徴とする請求項５に記載の多機能ポッド。
【請求項７】
前記第１連接構造(１０)は前記主ロッド(１)の下端に固接される上ジョイント(１１)を含み、
前記第２連接構造(３０)は前記ホルダ(３)の上端に固接される下ジョイント(３１)、前記下ジョイント(３１)に成形され、前記回転連接プラットホーム(２)を連接することに適する連接構造(３２)、及び前記下ジョイント(３１)に摺動可能に被装され、前記下ジョイント(３１)の上端から滑脱することを制限する連接ネジ(１２)を含み、
前記連接ネジ(１２)と前記上ジョイント(１１)とが螺接され、前記連接ネジ(１２)を回転して密にし、前記下ジョイント(３１)を駆動して前記上ジョイント(１１)と抵接し、前記主ロッド(１)と前記ホルダ(３)とを密に連接させる、ことを特徴とする請求項１または２に記載の多機能ポッド。
【請求項８】
前記下ジョイント(３１)の上端は上が広く下が狭い円錐状になっており、前記連接ネジ(１２)の下端には対応する円錐状チャンバー(１２１)が成形され、前記連接ネジ(１２)の上端の内壁には雌ネジ(１２２)が成形され、前記上ジョイント(１１)の外壁には係合する雄ネジ(３１１)が成形され、前記フットピンには雌ネジが成形され、前記上ジョイント(１１)における雄ネジ(３１１)は前記フットピン(５)における前記雌ネジと連接することに適する、ことを特徴とする請求項７に記載の多機能ポッド。
【請求項９】
前記上ジョイント(１１)の外部にはさらに前記上ジョイント(１１)における前記雄ネジ(３１１)による手擦れを防止するジョイント保護カバー(４)が被装される、ことを特徴とする請求項８に記載の多機能ポッド。
【請求項１０】
前記ジョイントカバーが中空構造になっており、前記ジョイント保護カバー(４)の上端の円周内壁が前記上ジョイント(１１)と螺接され、前記ジョイント保護カバー(４)の下端の円周内壁と前記下ジョイント(３１)の円周外壁との間の隙間が、前記連接ネジ(１２)の上端のねじ込みに適する、ことを特徴とする請求項９に記載の多機能ポッド。
【請求項１１】
前記上ジョイント(１１)と前記下ジョイント(３１)との間にはさらに前記上ジョイント(１１)と前記下ジョイント(３１)との相対回転の発生を防止する回転防止構造が設置される、ことを特徴とする請求項３〜１０のいずれか１項に記載の多機能ポッド。
【請求項１２】
前記回転防止構造は前記上ジョイント(１１)の下端に成形される上が広く下が狭い係着ヘッド(１１１)または上が狭く下が広い係着溝(３１２)、及び前記下ジョイント(３１)の上端に成形され、前記係着ヘッド(１１１)または係着溝(３１２)と係合する係着溝(３１２)または係着ヘッド(１１１)を含む、ことを特徴とする請求項１１に記載の多機能ポッド。
【請求項１３】
前記係着ヘッド(１１１)が円錐台で、前記係着溝(３１２)が対応する円錐状ノッチに成形される、ことを特徴とする請求項１２に記載の多機能ポッド。
【請求項１４】
前記ホルダ(３)の上端には球状部材(３３)が設けられ、前記下ジョイント(３１)と前記球状部材(３３)とが固接される、ことを特徴とする請求項２〜１３のいずれか１項に記載の多機能ポッド。
【請求項１５】
前記下ジョイント(３１)の下端が前記球状部材(３３)内に挿入され、且つ前記球状部材(３３)と螺接され、前記下ジョイント(３１)と前記球状部材(３３)との相互係合する処にはさらに粘着剤が塗装される、ことを特徴とする請求項１４に記載の多機能ポッド。
【請求項１６】
前記連接構造(３２)は前記下ジョイント(３１)に成形され、且つ前記回転連接プラットホーム(２)と連接することに適するネジ中心孔である、ことを特徴とする請求項３〜１５のいずれか１項に記載の多機能ポッド。
【請求項１７】
前記上ジョイント(１１)の上端端面には軸方向の段差孔が成形され、前記主ロッド(１)の下端が前記段差孔内に挿入され、且つ前記段差孔の段差面と抵接し、前記主ロッド(１)の下端端面の外壁と前記上ジョイント(１１)の内壁とがネジ方法によって螺接され、前記主ロッド(１)と前記上ジョイント(１１)との相互係合する面にはさらに粘着剤が塗装される、ことを特徴とする請求項３〜１６のいずれか１項に記載の多機能ポッド。
【請求項１８】
前記ホルダ(３)がトライポッドホルダに設けられ、前記トライポッドホルダが固定ホルダと前記固定ホルダの周囲に分布連接されている短い支持脚によって構成される、ことを特徴とする請求項１〜１７のいずれか１項に記載の多機能ポッド。
【請求項１９】
前記短い支持脚が折り畳むことのできる支持脚である、ことを特徴とする請求項１８に記載の多機能ポッド。
【発明の詳細な説明】
【技術分野】
【０００１】
本発明は撮影撮像機材に関し、具体的にはモノポッド（一脚）として使用されることもでき、トライポッド（三脚）として使用されることもできる多機能ポッドに関する。
【背景技術】
【０００２】
通常、日常生活におけるテクニック撮影は共にトライポッドまたはモノポッドの助けから離れることができず、ポッドの役割が専門内のユーザにとっても専門外のユーザにとっても共に無視することができなく、その主な役割はカメラを安定化させることにある。現在、撮影撮像機材の支持装置は主にモノポッド及びトライポッドが挙げられ、そのうち、モノポッドが携帯性、使用柔軟性において独特な長所を有するが、実際の撮影する過程においてテクニック撮影はトライポッドの助けが必要であり、例えば夜景撮影、微小距離撮影等の方面、トライポッドの主な役割がカメラを安定化させることによって一部の撮影効果を達することにある。室外撮影にとって、モノポッド及びトライポッドを同時に携帯することは非常に不便であるが、各種の撮影環境に対して、一部の時に前記２種類のポッドの同時に応用されることが必要である。
【０００３】
前記問題を解決するため、中国特許文献ＣＮ２０１２１５２３２Ｙは多機能モノポッドを開示し、それは３つの支持脚、３つの支持脚を連接する固定ホルダ、３つの支持脚を固定する固定シートによって構成され、３つの支持脚を合わせる時に、１つの独立な支持支持脚が構成され、支持脚の上端がピン軸を通じて固定ホルダと可動に連接され、固定シートが固定カップを通じてホルダの上方、３つの支持脚の上部の間に固定される。即ち前記特許文献に記載の多機能モノポッドにおいて、３つの支持脚を合わせて１つの独立な支持支持脚を構成することによってトライポッドとモノポッドとの間の転換を実現する。前記特許文献における多機能モノポッドがモノポッドとして使用されることができるが、実際的にはトライポッドであるため、本番にモノポッドに転換されていなかった。
【０００４】
前記問題を解決するため、中国特許文献ＣＮ２０１４４９５０８Ｕは多機能撮影トライポッドの取り外し可能な転換構造を開示し、ピンジョイント及びそれと固接するピンジョイントインサート、ピンモジュール及びそれと固接する外管インサート、クレイドルヘッド荷重プレート及びそれと係合して連接する中心管インサート、及び同時に中心管インサートと係合して連接する中心管を含み、そのうち、ピンジョイントインサートは外管インサートと係接でき、クレイドルヘッド荷重プレートと中心管インサートとの係合する連接構造はピンジョイントインサートと外管インサートとの係合する連接構造と相互に交換できる。即ち、前記特許文献に記載の多機能トライポッドの取り外し可能な転換構造において、ピンモジュールとピンジョイントとの連接する手段は取り外し可能になっており、クレイドルヘッド荷重プレートと中心管とも取り外し可能になっており、同時に、クレイドルヘッド荷重プレートと中心管インサートとの係合する連接構造はピンジョイントインサートと外管インサートとの係合する連接構造と相互に交換でき、即ちクレイドルヘッド荷重プレートは中心管インサートと係合することもでき、外管インサートと係合することもできるため、モノポッドとして使用されることが必要である時に、トライポッドにおける１組のピンモジュールをピンジョイントから取り外し、さらにクレイドルヘッド荷重プレートに取り付ければモノポッドとして使用されることができる。
【０００５】
前記特許文献に記載の取り外し可能な転換構造を有する多機能撮影トライポッドは、高角度撮影を実現でき、且つ取り外された後普通のモノポッドとして使用されることができるが、該種類の構造の多機能撮影トライポッドは低角度の撮影を実現できず、ユーザの低角度撮影及び撮影撮像機材及びその他の一部の特定撮影効果に対する要求に満たすことができない。
【発明の概要】
【発明が解決しようとする課題】
【０００６】
そのため、本発明が解決しようとする技術的な課題は、従来の技術における多機能撮影トライポッドの構造が通常のトライポッドと簡単なモノポッドとの間にだけ転換できず、低角度撮影の問題を同時に解決することができないため、構造が簡単で、組み立て・取り外しを通じて高位ポッド、簡単のモノポッド、及び低角度ポッドを形成できる多機能ポッドを提供することにある。
【課題を解決するための手段】
【０００７】
前記技術的な課題を解決するため、本発明は多機能ポッドであって、
主ロッドと、
前記主ロッドの上端に設置され、撮影撮像機材を固定することに適する回転連接プラットホームと、
前記主ロッドの下端に設置され、前記主ロッドを支持することに用いられるホルダと、を含み、
前記主ロッドの下端には第１連接構造が設けられ、前記ホルダの上端には第２連接構造が設けられ、前記第１連接構造と前記第２連接構造との間は取り外し可能に連接され、且つ前記第２連接構造は前記回転プラットホームの取り付けることに適する。
【０００８】
前記第１連接構造の下端はフットピンと連接することに適する。
【０００９】
前記第１連接構造は前記主ロッドの下端に固接される上ジョイント、及び前記上ジョイントに摺動可能に被装され、且つ前記上ジョイントの下端から滑脱することを制限する連接ネジを含み、
前記第２連接構造は前記ホルダの上端に固接される下ジョイント、及び前記下ジョイントに成形され、前記回転連接プラットホームを連接することに適する連接構造を含み、
前記連接ネジと前記下ジョイントとが螺接され、前記連接ネジを回転して密にし、前記上ジョイントを駆動して前記下ジョイントと抵接し、前記主ロッドと前記ホルダとを密に連接させる。
【００１０】
前記上ジョイントの上端は上が狭く下が広い円錐状になっており、前記連接ネジの上端には対応する円錐状チャンバーが成形され、前記連接ネジの下端の内壁には雌ネジが成形され、前記下ジョイントの上端には係合する雄ネジが成形され、前記フットピンには雄ネジが設けられ、前記連接ネジにおける前記雌ネジは前記フットピンにおける前記雄ネジと連接することに適する。
【００１１】
前記下ジョイントの外部にはさらに前記下ジョイントにおける前記雄ネジによる手擦れを防止するジョイント保護カバーが被装される。
【００１２】
前記ジョイントカバーが中空構造になっており、前記ジョイント保護カバーの下端の円周内壁が前記下ジョイントと螺接され、前記ジョイント保護カバーの上端の円周内壁と前記下ジョイントの円周外壁との間の隙間が、前記連接ネジの下端のねじ込みに適する。
【００１３】
前記第１連接構造は前記主ロッドの下端に固接される上ジョイントを含み、
前記第２連接構造は前記ホルダの上端に固接される下ジョイント、前記下ジョイントに成形され、前記回転連接プラットホームを連接することに適する連接構造、及び前記下ジョイントに摺動可能に被装され、且つ前記下ジョイント３１の上端から滑脱することを制限する連接ネジを含み、
前記連接ネジと前記上ジョイントとが螺接され、前記連接ネジを回転して密にし、前記下ジョイントを駆動して前記上ジョイントと抵接し、前記主ロッドと前記ホルダとを密に連接させる。
【００１４】
前記下ジョイントの上端は上が広く下が狭い円錐状になっており、前記連接ネジの下端には対応する円錐状チャンバーが成形され、前記連接ネジの上端の内壁には雌ネジが成形され、前記上ジョイントの外側壁には係合する雄ネジが成形され、前記フットピンには雌ネジが成形され、前記上ジョイントにおける雄ネジは前記フットピンにおける前記雌ネジと連接することに適する。
【００１５】
前記上ジョイントの外部にはさらに前記上ジョイントにおける前記雄ネジによる手擦れを防止するジョイント保護カバーが被装される。
【００１６】
前記ジョイントカバーが中空構造になっており、前記ジョイント保護カバーの上端の円周内壁が前記上ジョイントと螺接され、前記ジョイント保護カバーの下端の円周内壁と前記下ジョイントの円周外壁との間の隙間が、前記連接ネジの上端のねじ込みに適する。前記上ジョイントと前記下ジョイントとの間にはさらに前記上ジョイントと前記下ジョイントとの相対回転の発生を防止する回転防止構造が設置される。
【００１７】
前記回転防止構造は前記上ジョイントの下端に成形される上が広く下が狭い係着ヘッドまたは上が狭く下が広い係着溝、及び前記下ジョイントの上端に成形され、前記係着ヘッドまたは係着溝と係合する係着溝または係着ヘッドを含む。前記係着ヘッドが円錐台で、前記係着溝が対応する円錐状ノッチに成形される。
【００１８】
前記ホルダの上端には球状部材が設けられ、前記下ジョイントと前記球状部材とが固接される。
【００１９】
前記下ジョイントの下端が前記球状部材内に挿入され、且つ前記球状部材と螺接され、前記下ジョイントと前記球状部材との相互係合する処にはさらに粘着剤が塗装される。
【００２０】
前記連接構造は前記下ジョイントに成形され、且つ前記回転連接プラットホームと連接することに適するネジ中心孔である。
【００２１】
前記上ジョイントの上端端面には軸方向の段差孔が成形され、前記主ロッドの下端が前記段差孔内に挿入され、且つ前記段差孔の段差面と抵接し、前記主ロッドの下端端面の外壁と前記上ジョイントの内壁とがネジ方法によって螺接され、前記主ロッドと前記上ジョイントとの相互係合する面にはさらに粘着剤が塗装される。
【００２２】
前記ホルダがトライポッドホルダに設けられ、前記トライポッドホルダが固定ホルダと前記固定ホルダの周囲に分布連接されている短い支持脚によって構成される。
【００２３】
前記短い支持脚が折り畳むことのできる支持脚である。
【発明の効果】
【００２４】
本発明の前記技術的解決手段は従来の技術と比べ以下の長所を有する。
(１)  本発明に記載の多機能ポッドにおいて、前記主ロッドの下端には第１連接構造が設けられ、前記ホルダの上端には第２連接構造が設けられ、前記第１連接構造と前記第２連接構造との間は取り外し可能に連接され、且つ前記第２連接構造は回転プラットホームの取り付けることに適し、即ち本発明に記載の多機能ポッドは高位ポッドとして使用されることができるだけでなく、且つ本発明において、前記第１連接構造と第２連接構造との間が取り外し可能に連接されるため、取り外された前記主ロッドが普通のモノポッドとして使用されることができ、一方、取り外されたホルダが前記第２連接構造によって前記回転連接プラットホームに取り付けられた後、低角度ポッドに形成でき、低角度撮影の要求に満たすことができる。そのため、本発明に記載の多機能ポッドが組み立てられた状態時に高位ポッドとして使用されることができ、高位撮影の要求に満たすことができ、且つ本発明に記載の多機能ポッドは取り外されれば簡単なモノポッド及び低角度ポッドとして使用されることができる。
【００２５】
(２)   本発明に記載の多機能ポッドにおいて、前記第１連接構造の下端はフットピンと連接することに適し、このように前記主ロッドと前記ホルダとが取り外された後、普通のモノポッドとして使用されることができる。
【００２６】
(３)   本発明に記載の多機能ポッドにおいて、前記第１連接構造は前記主ロッドの下端に固接される上ジョイント、及び前記上ジョイントに摺動可能に被装され、且つ前記上ジョイントの下端から滑脱することを制限する連接ネジを含み、前記第２連接構造は前記ホルダの上端に固接される下ジョイント、及び前記下ジョイントに成形され、前記回転連接プラットホームを連接することに適する連接構造を含み、前記連接ネジと前記下ジョイントとが螺接され、前記連接ネジを回転して密にし、前記上ジョイントを駆動して前記下ジョイントと抵接し、前記主ロッドと前記ホルダとを密に連接させ、本発明において、前記上ジョイントに被装される前記連接ネジは前記上ジョイントを駆動して前記下ジョイントと抵接し、且つ前記下ジョイントと螺接することによって、前記主ロッドと前記ホルダとの間のロックを実現し、その構造が簡単で、分解が便利である。
【００２７】
(４)   本発明に記載の多機能ポッドにおいて、前記上ジョイントは上が狭く下が広い円錐状になっており、前記連接ネジの上端には対応する円錐状チャンバーが成形され、前記連接ネジの下端の内壁には雌ネジが成形され、前記下ジョイントの上端には係合する雄ネジが成形され、前記上ジョイントは上が狭く下が広い円錐状に設置されることは、前記上ジョイントに被装される前記連接ネジが前記上ジョイントの下端から滑脱することを防止でき、同時に、前記上ジョイントと前記連接ネジとの間が円錐面係合であり、このように、回転して密にする過程において、前記連接ネジは前記上ジョイントに対してある程度の下向き押圧力を形成し、それによって、前記上ジョイントと前記下ジョイントとの間に密に当接させ、回転して密にした後相対摺動の発生をなくす。
【００２８】
(５)   本発明に記載の多機能ポッドにおいて、前記下ジョイントの外部にはさらに前記下ジョイントにおける前記雄ネジによる手擦れを防止するジョイント保護カバーが被装され、前記ジョイント保護カバーの設置は前記下ジョイントにおける前記連接ネジ部分と連接していない前記雄ネジが使用過程においてユーザの手またはその他の物件を擦ることを防止できる。
【００２９】
(６)   本発明に記載の多機能ポッドにおいて、前記ジョイントカバーが中空構造になっており、前記ジョイント保護カバーの下端の円周内壁が前記下ジョイントと螺接され、前記ジョイント保護カバーの上端の円周内壁と前記下ジョイントの円周外壁との間の隙間が、前記連接ネジの下端のねじ込みに適し、このように、前記ホルダが前記回転連接プラットホームを連接して低角度ポッドとして使用される時に、前記下ジョイントにおける前記雄ネジが前記ジョイント保護カバーに保護されることができ、前記雄ネジの損壊を防止し、同時に、連接する時に、連接ネジの片端が該隙間に隠すことができるため、全体の構造をよりコンパクト及び美しくする。
【００３０】
(７)   本発明に記載の多機能ポッドにおいて、前記第１連接構造は前記主ロッドの下端に固接される上ジョイントを含み、前記第２連接構造は前記ホルダの上端に固接される下ジョイント、前記下ジョイントに成形され、前記回転連接プラットホームを連接することに適する連接構造、及び前記下ジョイントに摺動可能に被装され、前記下ジョイントの上端から滑脱することを制限する連接ネジを含み、前記連接ネジと前記上ジョイントとが螺接され、前記連接ネジを回転して密にし、前記下ジョイントを駆動して前記上ジョイントと抵接し、前記主ロッドと前記ホルダとを密に連接させ、本発明において、前記下ジョイントに被装される前記連接ネジは前記下ジョイントを駆動して前記上ジョイントと抵接し、且つ前記上ジョイントと螺接することによって、前記主ロッドと前記ホルダとの間のロックを実現し、その構造が簡単で、分解をしやすい。
【００３１】
(８)   本発明に記載の多機能ポッドにおいて、前記下ジョイントの上端は上が広く下が狭い円錐状になっており、前記連接ネジの下端には対応する円錐状チャンバーが成形され、前記連接ネジの上端の内壁には雌ネジが成形され、前記上ジョイントの外側壁には係合する雄ネジが成形される。前記下ジョイントの上端は上が広く下が狭い円錐状に設置されることによって、前記下ジョイントに被装される前記連接ネジが前記下ジョイントの上端から滑脱することを防止でき、同時に、前記下ジョイントと前記連接ネジとの間が円錐係合であるため、回転して密にする時に、前記連接ネジは前記上ジョイントに対してある程度の上向き押圧力を形成し、それによって、前記下ジョイントと前記上ジョイントとの間に密に当接させ、回転して密にした後相対摺動の発生をなくす。
【００３２】
(９)   本発明に記載の多機能ポッドにおいて、前記上ジョイントの外部にはさらに前記上ジョイントにおける前記雄ネジによる手擦れを防止するジョイント保護カバーが被装され、前記ジョイント保護カバーの設置は前記上ジョイントにおける前記連接ネジ部分と連接していない前記雄ネジが使用過程においてユーザの手またはその他の物件を擦ることを防止できる。
【００３３】
(１０)   本発明に記載の多機能ポッドにおいて、前記ジョイントカバーが中空構造になっており、前記ジョイント保護カバーの上端の円周内壁が前記上ジョイントと螺接され、前記ジョイント保護カバーの下端の円周内壁と前記下ジョイントの円周外壁との間の隙間が、前記連接ネジの上端のねじ込みに適し、このように、前記ホルダが前記回転連接プラットホームを連接して低角度ポッドとして使用される時に、前記上ジョイントにおける前記雄ネジが前記ジョイント保護カバーに保護されることができ、前記雄ネジの損壊を防止し、同時に、連接する時に、連接ネジの片端が該隙間内に隠すことができるため、全体の構造をよりコンパクト、美しくする。
【００３４】
(１１)   本発明に記載の多機能ポッドにおいて、前記上ジョイントと前記下ジョイントとの間にはさらに前記上ジョイントと前記下ジョイントとの相対回転の発生を防止する回転防止構造が設置される。前記回転防止構造は前記上ジョイントの下端に成形される上が広く下が狭い係着ヘッドまたは上が狭く下が広い係着溝、及び前記下ジョイントの上端に成形され、前記係着ヘッドまたは係着溝と係合する係着溝または係着ヘッドを含む。前記係着ヘッド及び前記係着溝の設置は前記上ジョイントと前記下ジョイントとを相互に係合した後、相対回転の発生をなくすことができる。
【００３５】
(１２)   本発明に記載の多機能ポッドにおいて、前記ホルダの上端には球状部材が設けられ、前記下ジョイントと前記球状部材とが固接され、前記下ジョイントの下端が前記球状部材内に挿入され、且つ前記球状部材と螺接され、前記下ジョイントと前記球状部材との相互係合する処にはさらに粘着剤が塗装され、それによって、前記下ジョイントを前記球状部材に密に連接させることができ、相対回転の発生をなくす。
【００３６】
(１３)   本発明に記載の多機能ポッドにおいて、前記連接構造は前記下ジョイントに成形され、且つ前記回転連接プラットホームと連接することに適するネジ中心孔である。このように、前記下ジョイントは前記ネジ中心孔を通じて前記回転連接プラットホームの回転連接ネジと連接することができ、取り外された前記ホルダを前記回転連接プラットホームに連接された後低角度トライポッドに転換させる。
【００３７】
(１４)   本発明に記載の多機能ポッドにおいて、前記上ジョイントの下端の前記係着ヘッドが円錐台であり、前記係着溝が対応する円錐状ノッチに成形され、円錐状の設置は前記係着ヘッドと前記係着溝との間の係合をより密にすることができ、前記上ジョイントにおける前記係着ヘッドを前記下ジョイントにおける前記係着溝に挿入した後、前記上ジョイントと前記下ジョイントとの間に相対回転の発生をなくす。
【００３８】
(１５)   本発明に記載の多機能ポッドにおいて、前記上ジョイントの上端端面には軸方向の段差孔が成形され、前記主ロッドの下端が前記段差孔内に挿入され、且つ前記段差孔の段差面と抵接し、前記主ロッドの下端端面の外壁と前記上ジョイントの内壁とがネジ方法によって螺接され、前記主ロッドと前記上ジョイントとの相互係合する面にはさらに粘着剤が塗装され、前記上ジョイントと前記主ロッドとの確実な連接を保証し、脱落の発生をなくす。
【００３９】
(１６)   本発明に記載の多機能ポッドにおいて、前記ホルダがトライポッドホルダのように設けられ、前記トライポッドホルダが固定ホルダと前記固定ホルダの周囲に分布連接されている短い支持脚によって構成され、このように、取り外された後の前記ホルダは、前記下ジョイントを通じて前記回転連接プラットホームと連接した後、低角度のトライポッドに形成でき、低角度の撮影のユーズに適するだけでなく、且つトライポッド構造であるため、その安定効果がよい。
【００４０】
(１７)   本発明に記載の多機能ポッドにおいて、前記短い支持脚が折り畳むことのできる支持脚である。このように、本発明に記載の多機能ポッドの組み立てる状態下で、高位のトライポッドとして使用されることができるだけでなく、さらに３つの前記短い支持脚を折り畳んで、高位のモノポッドとして使用されることもでき、同時に、本発明に記載の多機能ポッドの使用が必要ない時に、前記短い支持脚を折り畳んで、該多機能ポッドの体積及び占用スペースを減少できる。
【図面の簡単な説明】
【００４１】
本発明の内容をよりやすく理解されるように、以下、本発明の具体的な実施例を通じて且つ図面に合わせて、本発明に対して詳細に説明する。そのうち、
【図１】実施例１に記載の多機能ポッドの分解説明図である。
【図２】実施例１に記載の多機能ポッドの組み立て説明図である。
【図３】実施例１に記載の多機能ポッドの連接説明図である。
【図４】実施例１に記載の多機能ポッドの分解された後の主ロッドの説明図である。
【図５】実施例１に記載の多機能ポッドの分解された後のホルダの説明図である。
【図６】実施例１に記載の多機能ポッドの分解された後形成した低角度トライポッドの説明図である。
【図７】実施例１に記載の多機能ポッドの分解された後形成した普通のモノポッドの説明図である。
【図８】実施例２に記載の多機能ポッドの連接説明図である。
【発明を実施するための形態】
【００４２】
以下、図面に合わせて、以下の実施例を使用して本発明に対してさらに説明する。
【実施例１】
【００４３】
図１〜７に示すように、本実施例に記載の多機能ポッドであって、主ロッド１と、前記主ロッド１の上端に設置され、撮影撮像機材を固定することに適する回転連接プラットホーム２と、前記主ロッド１の下端に設置され、前記主ロッド１を支持することに用いられるホルダ３と、を含み、前記主ロッド１の下端には第１連接構造１０が設けられ、前記ホルダ３の上端には第２連接構造３０が設けられ、前記第１連接構造１０と前記第２連接構造３０との間は取り外し可能に連接され、且つ前記第２連接構造３０は前記回転プラットホーム２の取り付けることに適する。本実施例において、該多機能ポッドは組み合わせられた状態下で、高位ポッドとして使用されることができ、高位撮影のニーズに満たすことができ、同時に、本実施例において、前記第１連接構造１０と第２連接構造３０との間は取り外し可能に連接するため、このように取り外された前記主ロッド１は普通のモノポッドとして使用されることができ、一方、取り外された前記ホルダ３は前記第２連接構造３０を通じて前記回転連接プラットホーム２に取り付けられた後、低角度ポッドに形成され、低角度撮影の要求に満たすことができ、そのため、本発明に記載の多機能ポッドは組み立て・取り外されることによって高位ポッド、簡単なモノポッド、及び低角度ポッドに形成でき、まとめに言うと、本実施例に記載の多機能ポッドは様々な異なる使用場合のニーズに満たすことができる。
【００４４】
前記第１連接構造１０は前記主ロッド１の下端に固接される上ジョイント１１、及び前記上ジョイント１１に摺動可能に被装され、且つ前記上ジョイント１１の下端から滑脱することを制限する連接ネジ１２を含み、前記第２連接構造３０は前記ホルダ３の上端に固接される下ジョイント３１、及び前記下ジョイント３１に成形され、前記回転連接プラットホーム２を連接することに適する連接構造３２を含み、前記連接ネジ１２と前記下ジョイント３１とが螺接され、前記連接ネジ１２を回転して密にし、前記上ジョイント１１を駆動して前記下ジョイント３１と抵接し、前記主ロッド１と前記ホルダ３とを密に連接させる。本実施例において、前記上ジョイント１１に被装される前記連接ネジ１２は前記上ジョイント１１を駆動して前記下ジョイント３１と抵接し、且つ前記下ジョイント３１とが螺接されることによって、前記主ロッド１と前記ホルダ３との間のロックを実現し、その構造が簡単で、分解しやすい。
【００４５】
好ましい実施形態として、前記上ジョイント１１は上が狭く下が広い円錐状になっており、前記連接ネジ１２の上端には対応する円錐状チャンバー１２１が成形され、前記連接ネジ１２の下端の内壁には雌ネジ１２２が成形され、前記下ジョイント３１の上端には係合する雄ネジ３１１が成形され、フットピン５には雄ネジが設けられ、前記連接ネジ１２における前記雌ネジ１２２は前記フットピン５における前記雄ネジと連接することに適する。本実施例において、前記連接ネジ１２の下端はフットピン５と連接することに適し、このように、前記主ロッド１が前記回転連接プラットホームを連動して前記ホルダ３と取り外されて、普通のモノポッドとして使用される時に、前記連接ネジ１２の下端に前記フットピン５を直接連接することができ、使用過程において、前記連接ネジ１２または前記上ジョイント１１が損壊されることを防止できる。本実施例において、前記上ジョイント１１は上が狭く下が広い円錐状に設置されており、前記上ジョイント１１に被装される前記連接ネジ１２が前記上ジョイント１１の下端から滑脱することを防止でき、同時に、前記上ジョイント１１と前記連接ネジ１２との間が円錐面係合であり、このように、回転して密にする過程において、前記連接ネジ１２は前記上ジョイント１１に対してある程度の下向き押圧力を形成し、それによって、前記上ジョイント１１と前記下ジョイント３１との間に密に当接させ、回転して密にした後相対摺動の発生をなくす。同時に、前記上ジョイント１１と下ジョイント３１との間にさらに前記上ジョイント１１と前記下ジョイント３１との相対回転を発生することを防止する回転防止構造が設置される。本実施例において、前記回転防止構造は前記上ジョイント１１の下端に成形される上が広く下が狭い係着ヘッド１１１、及び前記下ジョイント３１の上端に成形され、前記係着ヘッド１１１と係合する係着溝３１２を含み、当然、上が狭く下が広い係着溝３１２が前記上ジョイント１１に成形され、係合する係着ヘッド１１１が前記下ジョイント３１に成形されてもよく、前記係着ヘッド１１１及び前記係着溝３１２の設置は前記上ジョイント１１と前記下ジョイント３１とが相互に係合した後、相対回転を発生しなくなることができる。好ましい実施形態として、前記上ジョイント１１の下端の前記係着ヘッド１１１が円錐台例えば六角円錐台で、前記係着溝３１２が対応する円錐状ノッチ、例えば六角円錐状ノッチに成形され、多角円錐状の設置は前記係着ヘッド１１１と前記係着溝３１２との間の係合をより密にすることができ、前記上ジョイント１１における前記係着ヘッド１１１を前記下ジョイント３１における前記係着溝３１２に挿入した後、前記上ジョイント１１と前記下ジョイント３１との間に相対回転を発生しなくなる。
【００４６】
さらに、本実施例において、前記ホルダ３の上端には球状部材３３が設けられ、前記下ジョイント３１と前記球状部材３３とが固接され、前記下ジョイント３１の下端が前記球状部材３３内に挿入され、且つ前記球状部材３３と螺接され、前記下ジョイント３１と前記球状部材３３との相互係合する処にはさらに粘着剤が塗装され、それによって、前記下ジョイント３１を前記球状部材３３に密接させ、相対回転の発生をしなくなる。
【００４７】
前記連接構造３２は前記下ジョイント３１に成形され、且つ前記回転連接プラットホーム２と連接することに適するネジ中心孔であり、本実施例において、前記ネジ中心孔が前記下ジョイント３１の下端に成形され且つ前記係着溝３１２と連接される。即ち、本実施例において、前記下ジョイント３１は前記ネジ中心孔を通じて前記回転連接プラットホーム２の回転連接ネジ２１と連接することができ、取り外された前記ホルダ３を前記回転連接プラットホーム２に連接された後低角度トライポッドに転換させる。
【００４８】
前記上ジョイント１１の上端端面には軸方向の段差孔が成形され、前記主ロッド１の下端が前記段差孔内に挿入され、且つ前記段差孔の段差面と抵接し、前記主ロッド１の下端端面の外壁と前記上ジョイント１１の内壁とがネジ方法によって螺接され、且つ前記主ロッド１と前記上ジョイント１１との相互係合する面にはさらに粘着剤が塗装され、それによって、前記上ジョイント１１と前記主ロッド１とが確実に連接されることができ、脱落を発生させない。
【００４９】
前記実施例のベースに、前記下ジョイント３１の外部にはさらに前記下ジョイント３１における前記雄ネジ３１１による手擦れを防止するジョイント保護カバー４が被装され、前記ジョイント保護カバー４の設置は前記下ジョイント３１における前記連接ネジ１２部分と連接していない前記雄ネジ３１１が使用過程においてユーザの手またはその他の物件を擦ることを防止できる。
【００５０】
好ましい実施例として、前記ジョイントカバーが中空構造になっており、前記ジョイント保護カバー４の下端の円周内壁が前記下ジョイント３１と螺接され、前記ジョイント保護カバー４の上端の円周内壁と前記下ジョイント３１の円周外壁との間の隙間が、前記連接ネジ１２の下端のねじ込みに適する。本実施例において、前記ホルダ３が前記回転連接プラットホーム２を連接して低角度ポッドとして使用される時に、前記下ジョイント３１における前記雄ネジ３１１が前記ジョイント保護カバー４に保護されることができ、前記雄ネジ３１１の損壊を防止する。
【００５１】
本実施例において、前記ホルダ３がトライポッドホルダに設けられ、前記トライポッドホルダが固定ホルダと前記固定ホルダの周囲に分布連接されている短い支持脚によって構成される。このように、取り外された後の前記ホルダ３は、前記下ジョイント３１を通じて前記回転連接プラットホーム２と連接した後、低角度のトライポッドに形成でき、低角度の撮影のユーズに適するだけでなく、且つトライポッド構造であるため、その安定効果がよい。同時に、本実施例において、該多機能ポッドの体積及び占用スペースを減少するため、前記短い支持脚が折り畳むことのできる支持脚である。このように、本発明に記載の多機能ポッドの使用する必要が無い時に、前記短い支持脚を折り畳んでもよく、同時に、前記折り畳むことのできる支持脚の設置は、本発明に記載の多機能ポッドを組み立てる状態下で、高位のトライポッドとして使用されることができるだけでなく、さらに３つの前記短い支持脚を折り畳んで、高位のモノポッドとして使用されることもできる。
【実施例２】
【００５２】
図８に示すように、本実施例と実施例１との異なるところは、前記第１連接構造１０は前記主ロッド１の下端に固接される上ジョイント１１を含み、前記第２連接構造３０は前記ホルダ３の上端に固接される下ジョイント３１、前記下ジョイント３１に成形され、前記回転連接プラットホーム２を連接することに適する連接構造３２、及び前記下ジョイント３１に摺動可能に被装され、且つ前記下ジョイント３１の上端から滑脱することを制限する連接ネジ１２を含み、前記連接ネジ１２と前記上ジョイント１１とが螺接され、前記連接ネジ１２を回転して密にし、前記下ジョイント３１を駆動して前記上ジョイント１１と抵接し、前記主ロッド１と前記ホルダ３とを密に連接させる。本実施例において、前記下ジョイント３１に被装される前記連接ネジ１２が前記下ジョイント３１を駆動して前記上ジョイント１１と抵接し、且つ前記上ジョイント１１と螺接させることによって、前記ホルダ３と前記主ロッド１との間のロックを実現し、その構造が簡単で、取り外ししやすい。
【００５３】
本実施例において好ましい設置手段を紹介し、前記連接ネジ１２に被装される前記下ジョイント３１の上端は上が広い下狭い円錐状になっており、前記連接ネジ１２の下端には対応する円錐状チャンバー１２１が成形され、前記連接ネジ１２の上端の内壁には雌ネジ１２２が成形され、前記上ジョイント１１の外壁には係合する雄ネジ３１１が成形され、前記フットピン５には雌ネジが成形され、前記上ジョイント１１における雄ネジ３１１は前記フットピン５における前記雌ネジと連接することに適する。本実施例において、前記上ジョイント１１の下端はフットピン５と連接することに適し、このように、前記主ロッド１が前記回転連接プラットホーム２を連動して前記ホルダ３と取り外されて、普通のモノポッドとして使用される時に、前記上ジョイント１１に下端に前記フットピン５を直接連接することができ、それによって、使用する過程において、前記上ジョイント１１に破損の発生することを防止する。
【００５４】
前記上ジョイント１１の外部にはさらに前記上ジョイント１１における前記雄ネジ３１１による手擦れを防止するジョイント保護カバー４が被装される。前記ジョイント保護カバー４の構造は好ましくは、前記ジョイントカバーが中空構造になっており、前記ジョイント保護カバー４の上端円周内壁と前記上ジョイント１１とが螺接され、前記ジョイント保護カバー４の下端円周内壁と前記下ジョイント３１の円周外壁との間の隙間が、前記連接ネジ１２の上端のねじ込みに適する。
【００５５】
前記下ジョイントの上端は上が広く下が狭い円錐状に設置され、前記下ジョイントに被装される前記連接ネジが前記下ジョイントの上端から滑脱することを防止でき、同時に、前記下ジョイントと前記連接ネジとの間が円錐係合であり、このように、回転して密にする過程において、前記連接ネジは前記上ジョイントに対してある程度の下向き押圧力を発生し、それによって、前記下ジョイントと前記上ジョイントとの間に密に抵接することができ、回転して密に下後相対摺動の発生をなくす。
【００５６】
明らかに、前記実施例は説明をはっきりするために挙がられた例のみであり、実施形態に対する制限ではない。本分野の当業者にとって、前記説明のベースにさらにその他の異なる手段の変化または変更を行うことができ、ここでは全ての実施形態に対して挙げることができず且つ必要がないが、これによって行った明らかに分かる変化または変更は依然本発明の保護範囲内に属すべきである。
【符号の説明】
【００５７】
１−主ロッド、１０−第１連接構造、１１−上ジョイント、１１１−係着ヘッド、１１２−段差孔、１２−連接ネジ、１２１−円錐状チャンバー、１２２−雌ネジ、２−連接プラットホーム、２１−回転連接ネジ、３−ホルダ、３０−第２連接構造、３１−下ジョイント、３２−連接構造、３１１−雄ネジ、３１２−係着溝、３３−球状部材、４−ジョイント保護カバー、５−フットピン
【図１】
2017502357.tif 000003
【図２】
2017502357.tif 000004
【図３】
2017502357.tif 000005
【図４】
2017502357.tif 000006
【図５】
2017502357.tif 000007
【図６】
2017502357.tif 000008
【図７】
2017502357.tif 000009
【図８】
2017502357.tif 000010
【国際調査報告】
2017502357.tif 000011
2017502357.tif 000012
2017502357.tif 000013
2017502357.tif 000014